(57)【要約】【課題】  被操作部材の空隙内での振れを抑えることを可能にしたクリック部材を有するレンズ鏡筒およびこれを用いた光学機器を提供すること。【解決手段】  レンズを保持可能な鏡筒と、該鏡筒の外装部材上の第一の方向に貫通した案内溝と、該案内溝に挿入され、該案内溝に沿って前記第一の方向にスライド可能な被操作部材と、該被操作部材と前記鏡筒内の係合部で連結する板状部材と、前記被操作部材のスライドに伴って、内部接点を切り替え可能な作動部と、を有するレンズを保持するレンズ鏡筒であって、前記板状部材は、前記係合部に対して前記第一の方向に有する、クリック感を生じさせる第一の摺動面を有するクリック部と、前記係合部の第一の方向と直交する方向の両側に配置された第二、第三の摺動部と、を有しており、前記第二および第三の少なくとも一方の摺動部が、前記作動部を保持する作動部保持部を有することを特徴とする構成とした。【選択図】  図１
2020038298.tif 000002
【特許請求の範囲】
【請求項１】
レンズを保持可能な鏡筒と、
該鏡筒の外装部材において第一の方向に貫通した案内溝と、
該案内溝に挿入され、該案内溝に沿って前記第一の方向にスライド移動可能な被操作部材と、
該被操作部材と前記鏡筒内の係合部で連結する板状部材と、
前記被操作部材のスライドに伴って、内部接点を切り替え可能な作動部と、
を有するレンズを保持するレンズ鏡筒であって、
前記板状部材は、前記係合部に対して前記第一の方向に有する、クリック感を生じさせる第一の摺動面を有するクリック部と、
前記係合部の第一の方向と直交する方向の両側に配置された第二、第三の摺動部と、
を有しており、
前記第二および第三の少なくとも一方の摺動部が、前記作動部を保持する作動部保持部を有することを特徴とするレンズ鏡筒。
【請求項２】
前記板状部材が、前記第一、第二、および第三の摺動部に付勢する板ばね部材である請求項１に記載のレンズ鏡筒。
【請求項３】
前記第二の摺動部と前記係合部との距離と、前記第三の摺動部と前記係合部との距離とが等しいことを特徴とする請求項１または２に記載のレンズ鏡筒。
【請求項４】
前記第二および第三の摺動部は、摺動面の中央部から前記第一の方向に向かって次第に摺動面から離れていく曲げ部を両端に有することを特徴とする請求項１から３のいずれか一項に記載のレンズ鏡筒。
【請求項５】
前記第二および第三の摺動部は、摺動面の中央部から前記第一の方向に向かって次第に摺動面から離れていく円弧を持った曲げ部を両端に有することを特徴とする請求項１から４のいずれか一項に記載のレンズ鏡筒。
【請求項６】
前記第二の摺動部に前記作動部保持部を有しており、前記第二の摺動部の摺動面積のほうが前記第三の摺動部の摺動面積よりも小さい請求項１から５のいずれか一項に記載のレンズ鏡筒。
【請求項７】
前記第二の摺動部に前記作動部保持部を有しており、前記第二の摺動部における前記外装部材との付勢力のほうが前記第三の摺動部における前記外装部材との付勢力よりも小さい請求項１から６のいずれか一項に記載のレンズ鏡筒。
【請求項８】
前記第一、第二、および第三の摺動部が、スライド方向に対して直交する方向に尾根を有する凸状の摺動面を有する請求項１から７のいずれか一項に記載のレンズ鏡筒。
【請求項９】
前記レンズ鏡筒は、カメラ本体に着脱可能であって、前記被操作部材は、光軸方向において前記カメラ本体側に設けられることを特徴とする請求項１乃至８のいずれか一項に記載のレンズ鏡筒。
【請求項１０】
請求項１乃至９のいずれか一項に記載のレンズ鏡筒と、固定レンズ群と、移動レンズ群と、を有することを特徴とする光学機器。
【発明の詳細な説明】
【技術分野】
【０００１】
本発明は、レンズ鏡筒およびこれを備えた光学機器に関し、特に機能等を切り替え可能なスライドスイッチを備えた光学機器に関するものである。
【背景技術】
【０００２】
従来、一眼レフカメラ、コンパクトカメラ、ＴＶカメラ、などの光学機器に使用される撮影用レンズ鏡筒において、レンズ操作に関係する機能（オートフォーカスや手振れ補正等）の有効・無効を選択できるスイッチ機構が設けられてきた。そのようなスイッチ機構は、被操作部材をレンズ鏡筒の外装に配置しているものが多い。スイッチ機構を構成する一般的な構成としては次のようなものである。外装部材に切り込みの形状で一方向に伸びる貫通穴が配置されており、この貫通穴に被操作部材（ノブ）が係合している。被操作部材にはクリック部を有するばね部材が連結されており、被操作部材が貫通穴に案内され所定の位置までスライド移動した際にクリック感を生じるように構成されている。そして、ばね部材にはスイッチ素子の作動部を被操作部材の移動に伴って移動させる作動部保持部を有している。
【０００３】
例えば、特許文献１ではばね部材のクリック部と被操作部材の係合部がスライド方向に対して同一線上にない構成が開示されている。本構成では、ガイド機構を複数設けることで、係合部を中心にクリック部を腕とするモーメントにより、一体的に取り付けられている被操作部材が係合部の空隙内で振れ、外側から振れて見えるのを抑制する構成となっている。
【０００４】
特許文献２では、ばね部材のクリック部と被操作部材の係合部がスライド方向と平行な同一直線上にある構成が開示されている。本構成では特許文献１と比較してクリック部が係合部と同一直線状にあるため係合部を中心にクリック部を腕とするモーメントが起こりづらく、ガイド機構がなくても被操作部材が外側から振れる現象が起こりづらい。
【先行技術文献】
【特許文献】
【０００５】
【特許文献１】特開２０１６−１０９９６０号公報
【特許文献２】特開２０００−８２３５９号公報
【発明の概要】
【発明が解決しようとする課題】
【０００６】
しかしながら、上述の特許文献２に開示された従来技術では、被操作部材のスライド方向と交差する方向に配置されたスイッチ素子の作動部を移動させる力が必要である。そのため、スイッチ素子の作動部との係合部を中心に作動部保持部を腕とするモーメントが発生し、被操作部材は嵌合部の空隙内で振れが生じ、外側から振れて見えてしまう可能性がある。
【０００７】
本発明の目的は、係合部の空隙内での振れを抑えることを可能にしたクリック部材を搭載したレンズ鏡筒およびこれを用いた光学機器を提供することにある。
【課題を解決するための手段】
【０００８】
上記目的を達成するために、本発明は、レンズを保持可能な鏡筒と、該鏡筒の外装部材上の第一の方向に貫通した案内溝と、該案内溝に挿入され、該案内溝に沿って前記第一の方向にスライド可能な被操作部材と、該被操作部材と前記鏡筒内の係合部で連結する板状部材と、前記被操作部材のスライドに伴って、内部接点を切り替え可能な作動部と、を有するレンズを保持するレンズ鏡筒であって、前記板状部材は、前記係合部に対して前記第一の方向に有する、クリック感を生じさせる第一の摺動面を有するクリック部と、前記係合部の第一の方向と直交する方向の両側に配置された第二、第三の摺動部と、を有しており、前記第二および第三の少なくとも一方の摺動部が、前記作動部を保持する作動部保持部を有することを特徴とする。
【発明の効果】
【０００９】
本発明によれば、被操作部材の案内溝内での振れを抑えたレンズ鏡筒およびこれを用いた光学機器を提供することができる。
【図面の簡単な説明】
【００１０】
【図１】本発明の実施形態にかかわるレンズ鏡筒およびこれを用いた光学機器について説明する図
【図２】実施形態１におけるレンズ鏡筒のスイッチ部を外観から見た図
【図３】実施形態１におけるレンズ鏡筒のスイッチ部の切り替え構造を内径側から見た図
【図４】実施形態１におけるスイッチばね１０３の詳細を示す外観図
【図５】実施形態２におけるスイッチばね２０３の外観図
【発明を実施するための形態】
【００１１】
以下に、本発明の好ましい実施の形態を、添付の図面に基づいて詳細に説明する。
【００１２】
図１は、本発明の実施形態にかかわるレンズ鏡筒およびこれを用いた光学機器について説明する。ここで、光学機器としては、一眼レフカメラ、コンパクトカメラ、ＴＶカメラ、液晶プロジェクタ等が該当する。
【００１３】
図１は、固定レンズ群と移動レンズ群を保持可能なレンズ鏡筒の外観図を示す。レンズ鏡筒には、複数のレンズ群の周囲を覆う固定環としての外装環０００と、外装環０００に対し定位置回転する複数の操作環としてのフォーカス環００３が設けられる。フォーカス環００３の回転運動により、不図示の移動レンズ群であるフォーカスレンズは、光軸方向に移動する。このようなレンズ鏡筒は、マウント００４を介してレンズ交換が可能な一眼レフカメラ等のカメラ本体と着脱可能であり、本体に取り付けられる。外装環０００の外周上には、外装部材としてのスイッチパネル００１が設けられている。また、スイッチパネル００１には光軸方向に手動で操作する被操作部材００２が設けられている。被操作部材は、光軸方向において被写体側よりもカメラ本体側に設けられることが好ましい。
【００１４】
（実施形態１）
図２は、実施形態１におけるレンズ鏡筒のスイッチ部を外観から見た図である。また、図３は実施形態１におけるレンズ鏡筒のスイッチ部の切り替え構造を内径側から見た図である。
【００１５】
外装部材であるスイッチパネル１０１には貫通する案内溝１１１が設けられており、被操作部材である操作ノブ１０２のスライド部材係合部１２２がスイッチパネル係合部１１２に外側から内側に向けて挿入されつつ係合している。これにより、操作ノブ１０２はスイッチパネル１０１に第一の方向として光軸方向（操作方向）にスライド移動可能に保持されている。
【００１６】
スイッチパネル１０１の内側には不図示のフレキ（内部接点）と接続し電気信号を制御部に伝達可能なスイッチ素子１０４が固定されている。スイッチ素子１０４は作動部としてのスイッチ素子ノブ１４１を有しており、スイッチ素子ノブ１４１が光軸方向に移動することによって異なる内部接点と電気的に接続され、電気信号を出すことができるように固定されている。このとき、スイッチ素子ノブ１４１を光軸方向に移動させるには一定の力が必要となっている。被操作部１２１は、操作ノブ１０２のスライド移動を操作者が行うのに用いる凹凸部である。
【００１７】
スイッチパネル１０１に保持された操作ノブ１０２の内径側、すなわち鏡筒内には、スイッチパネル係合部１１２の内周にある固定部１２３においてビスにより板状部材（スイッチばね）１０３が固定されている。これにより、スイッチばね１０３は操作ノブ１０２と一体として操作方向に移動する。スイッチばねが、第一、第二、および第三の摺動部に付勢する板ばね部材であると良い。
【００１８】
図４はスイッチばね１０３の詳細を示す外観図である。
【００１９】
スイッチばね１０３にはスイッチパネル１０１と径方向に移動可能に付勢力を持って摺動するクリック部１３１を固定部１２３から操作方向の延長線上に有している。クリック部１３１はスイッチパネル１０１の凹凸部１１３と摺動し、操作ノブ１０２の位置によって凸部をクリック部１３１が乗り越えることでクリックを感じることが可能な構成となっている。このとき、固定部１２３の操作方向上にクリック部１３１を設けることによって、操作ノブ１０２を操作方向上に動かしたときに操作ノブ１０２が係合部の空隙内で振れるのを抑制することができる。
【００２０】
本実施形態のように、スライド方向と直交する方向に尾根を有する隆起した凸状によって摺動面を形成することにより、例えば金属部材のせん断面が摺動する構成とは異なり、摩擦力を摺動部において安定させることができる。
【００２１】
スイッチばね１０３はクリック部１３１の反力により外側に逃げる力を受ける摺動部として、第一の摺動部（スイッチ摺動部）１３２を有する。
【００２２】
そして、係合部の第一の方向と直交する方向の両側に配置された第二、第三の摺動部（１１４、１１５）を有する。第二および第三の摺動部は、摺動面の中央部から第一の方向に向かって次第に摺動面から離れていく曲げ部を両端に有する。
【００２３】
すなわち、スイッチ摺動部１３２はスイッチパネル１０１の平坦な平坦部としての第二の摺動部１１４と摺動している。スイッチ摺動部１３２において操作ノブ１０２の操作方向に円弧を持った曲げ部を両端に有している。
【００２４】
そのため、円弧部において摺動する構成となっている。これにより、せん断面で摺動させるのと比較して摺動する際の摩擦力が安定し、発生する摩擦力によって係合部の空隙内で振れるのを抑制することができる。
【００２５】
スイッチばね１０３にはスイッチ摺動部１３２と固定部１２３を挟んで操作方向と直交する方向側に、スイッチ素子ノブ１４１を保持するスイッチ素子ノブ保持部１３４を有している。これにより、操作ノブ１０２の操作方向の移動に伴ってスイッチ素子ノブ１４１を移動させることが可能となっている。スイッチ素子ノブ保持部１３４は、スイッチパネル１０１と摺動する保持部摺動部１３５と摺動部の操作方向上両端に円弧を持った保持部曲げ部１３３と曲げ部から連なる保持壁部１３７からなる。保持壁部１３７により、囲い形状を形成しスイッチ素子ノブ１４１を保持することが可能である。保持部摺動部１３５はクリック部１３１の反力により外側に逃げる力を受ける摺動部としても機能しており、平坦な平坦部としての第三の摺動部１１５と摺動している。本構成ではスイッチ素子の保持部においても摺動しているが、先ほどと同様に円弧を持った曲げ部でスイッチパネル１０１と摺動することが可能な構成となっている。そのため、せん断面で摺動させるのと比較して摺動する際の摩擦力が安定し、発生する摩擦力によって係合部の空隙内で振れるのをさらに抑制することができる。
【００２６】
第二の摺動部１１４、および、第三の摺動部１１５は操作方向に直角な方向に同じ長さで操作方向上に伸びている。すなわち、第二の摺動部１１４と係合部との距離と、第三の摺動部１１５と係合部との距離とが等しい。一方、スイッチ摺動部１３２、保持部摺動部１３５は操作方向においてスイッチ摺動部１３２のほうが長く構成されている。また、スイッチ摺動部１３２、保持部摺動部１３５は第二の摺動部１１４、第三の摺動部１１５と比較して操作方向に直角な方向に長く構成されている。そのため、スイッチ摺動部１３２の接触面積は保持部摺動部１３５の接触面積よりも大きくなる。
【００２７】
スイッチ摺動部１３２および保持部摺動部１３５はクリック部１３１の反力を受けている。このとき、クリック部１３１は固定部１２３の作動方向上にあるため、それぞれの面が受ける力は略一致する。摺動部においては、潤滑剤により摺動性をよくしているが、表面状態によって抵抗を受けるため接触面積が大きいほど摩擦係数が大きくなる。そのため、接触面積が大きい側の摩擦力が大きくなる。一方、スイッチ素子ノブ保持部１３４側はスイッチ素子ノブ１４１を移動させる際に前述した一定の力が加わる。つまり、スイッチ摺動部１３２側において摩擦力を大きくすることで、スイッチ素子ノブ１４１を移動させる際の一定の力により係合部の空隙内で振れるのをさらに抑制することができる。
【００２８】
（実施形態２）
図５は実施形態２におけるスイッチばね２０３の外観図である。その他の構成は実施形態１と同様の構成のため詳細は省略する。
【００２９】
スイッチばね２０３は、スイッチ摺動部２３２および保持部摺動部２３５を有する。スイッチ摺動部２３２、および保持部摺動部２３５の操作方向上の長さは同じである。スイッチ摺動部２３２においてスイッチパネルと摺動する側に突起形状２３８を有している。その他の構成はスイッチばね１０３と同様である。
【００３０】
突起形状２３８により保持部摺動部２３５に比較してスイッチ摺動部２３２はより大きい付勢力でスイッチパネルに接触している。そのため、スイッチ摺動部２３２において保持部摺動部２３５よりも大きい摩擦力が働く。スイッチ素子ノブ保持部２３４側はスイッチ素子ノブを移動させる際に前述した一定の力が加わる。そのため、スイッチ摺動部２３２側において摩擦力を大きくすることで、スイッチ素子ノブを移動させる際の一定の力により係合部の空隙内で振れるのをさらに抑制することができる。
【００３１】
切り替えが二か所のものについて説明したが、三か所以上の複数箇所における物においても本実施例が適用されることは言うまでもない。
【００３２】
実施例においては動部およびスイッチ保持部ともに摺動する構成において述べたが、スイッチ保持部側は必ずしも摺動する構成にしなくてもいいことは言うまでもない。
【００３３】
実施形態１において操作方向にスイッチばねの摺動部を操作方向に長くすることによって摺動面積を広くしたが、スイッチパネル上の摺動部の操作方向に直角な方向に広くすることによって摺動面積を広くしてもいいことは言うまでもない。
【００３４】
実施形態２において摺動部に突起形状を設けることで付勢力を大きくしたが、付勢力を大きくするのであればその他の方法を行ってもいいことは言うまでもない。たとえば、スイッチパネル側の摺動部をスイッチばね側に突出させていいことは言うまでもない。
【００３５】
以上、本発明の好ましい実施形態について説明したが、本発明はこれらの実施形態に限定されず、その要旨の範囲内で種々の変形及び変更が可能である。
【産業上の利用可能性】
【００３６】
本発明はレンズ鏡筒およびこれを備えた光学機器に関し、特に切り替え可能なスライドスイッチを備えた光学機器に有用である。
【符号の説明】
【００３７】
００１、１０１  スイッチパネル
００２、１０２  被操作部材（操作ノブ）
１２２  スライド部材係合部
１１２  スイッチパネル係合部
１１１  貫通溝
１２３  固定部
１０３、２０３  スイッチばね
１３１  クリック部
１１３  凹凸部
１３２、２３２  スイッチ摺動部
１０４  スイッチ素子
１４１  スイッチ素子ノブ
１３４、２３４  スイッチ素子ノブ保持部
１３５、２３５  保持部摺動部
１３３  保持部曲げ部
１１４  第二のスイッチ摺動部
１３７  保持壁部
１１５  第三のスイッチ摺動部
２３８  突起形状
【図１】
2020038298.tif 000003
【図２】
2020038298.tif 000004
【図３】
2020038298.tif 000005
【図４】
2020038298.tif 000006
【図５】
2020038298.tif 000007